(57)【要約】【課題】広範囲にシャワー吐水できる吐水ヘッドを提供する。【解決手段】吐水ヘッドは、吐水部２６からシャワー吐水可能である。吐水部２６には、シャワー吐水を行う複数の散水孔が形成された散水板５１が設けられる。複数の散水孔は、散水板５１の整流吐水口を取り囲むように配列された複数の第１散水孔６２ａ２と、該複数の第１散水孔６２ａ２を取り囲むように配列された複数の第２散水孔６２ｂ２とを含む。第１散水孔６２ａ２は、散水板５１から離れるに従って散水板の中心軸Ｃに近づく方向に吐水する。【選択図】図７
2019208641.tif 000002
【特許請求の範囲】
【請求項１】
吐水部からシャワー吐水可能な吐水ヘッドであって、
前記吐水部には、シャワー吐水を行う複数の散水孔が形成された散水板が設けられ、
前記複数の散水孔は、
前記散水板の中央領域を取り囲むように配列された複数の第１散水孔と、
前記複数の第１散水孔を取り囲むように配列された複数の第２散水孔と、
を含み、
前記第１散水孔は、前記散水板から離れるに従って前記散水板の中心軸に近づく第１方向に吐水する第１方向散水孔を含むことを特徴とする吐水ヘッド。
【請求項２】
前記第１散水孔は、前記散水板の径方向において前記第１方向と異なる第２方向に吐水する第２方向散水孔をさらに含み、
前記第１方向散水孔と前記第２方向散水孔は、前記中心軸の周方向に沿って交互に配置されることを特徴とする請求項１に記載の吐水ヘッド。
【請求項３】
前記第２散水孔は、前記散水板の径方向において前記第１方向および前記第２方向と異なる第３方向に吐水する第３方向散水孔を含むことを特徴とする請求項２に記載の吐水ヘッド。
【請求項４】
前記第２散水孔は、前記散水板の径方向において前記第３方向と異なる第４方向に吐水する第４方向散水孔を含むことを特徴とする請求項３に記載の吐水ヘッド。
【請求項５】
前記第２方向は、前記中心軸と平行又は前記散水板から離れるに従って前記中心軸から離れる方向であり、
前記第３方向は、前記散水板から離れるに従って前記中心軸から離れる方向であることを特徴とする請求項３に記載の吐水ヘッド。
【請求項６】
前記中央領域に設けられた整流吐水口をさらに備えることを特徴とする請求項１から４のいずれかに記載の吐水ヘッド。
【請求項７】
吐水部からシャワー吐水可能な吐水ヘッドであって、
前記吐水部には、散水板が設けられ、
前記散水板には、複数の散水孔が周方向および径方向に間隔を空けて設けられ、
周方向および径方向に隣接する散水孔は、吐水する水が互いに離れるように、径方向に関する吐水方向が異なることを特徴とする吐水ヘッド。
【発明の詳細な説明】
【技術分野】
【０００１】
本発明は、給水された水をシャワー吐水可能な吐水ヘッドに関する。
【背景技術】
【０００２】
従来より、吐水部の中央部に整流水を吐水するための整流吐水口が設けられ、整流吐水口の周囲にシャワー吐水を行うための複数の散水孔が設けられた吐水ヘッドが知られている（例えば、特許文献１参照）。
【先行技術文献】
【特許文献】
【０００３】
【特許文献１】特開２００１−３１１１８８号公報
【発明の概要】
【発明が解決しようとする課題】
【０００４】
上記のような吐水ヘッドにおいては、散水孔が設けられる領域は、整流吐水口が設けられる領域によって制限されるため、狭くなりがちである。散水孔が設けられる領域が狭い場合には、シャワー吐水の散水範囲が狭くなる可能性がある。
【０００５】
本発明のある態様は、このような課題に鑑みてなされ、その目的の１つは、広範囲にシャワー吐水できる吐水ヘッドを提供することにある。
【課題を解決するための手段】
【０００６】
本発明のある態様は、吐水部からシャワー吐水可能な吐水ヘッドである。この吐水ヘッドにおいて、吐水部には、シャワー吐水を行う複数の散水孔が形成された散水板が設けられる。複数の散水孔は、散水板の中央領域を取り囲むように配列された複数の第１散水孔と、複数の第１散水孔を取り囲むように配列された複数の第２散水孔とを含む。第１散水孔は、散水板から離れるに従って散水板の中心軸に近づく第１方向に吐水する第１方向散水孔を含む。
【０００７】
本発明の別の態様も、吐水部からシャワー吐水可能な吐水ヘッドである。この吐水ヘッドにおいて、吐水部には、散水板が設けられ、散水板には、複数の散水孔が周方向および径方向に間隔を空けて設けられる。周方向および径方向に隣接する散水孔は、吐水する水が互いに離れるように、径方向に関する吐水方向が異なる。
【図面の簡単な説明】
【０００８】
【図１】本発明の実施形態に係る吐水ヘッドが用いられる水栓装置の斜視図である。
【図２】水栓装置の設置状態を示す平面図である。
【図３】水栓装置の内部に形成される一部の水路に関する説明図である。
【図４】吐水部の構造を説明するための断面図である。
【図５】散水板における散水孔の配置を説明するための図である。
【図６】図５に示す散水板のＡ−Ａ部分断面図である。
【図７】図５に示す散水板のＢ−Ｂ部分断面図である。
【図８】図６に示す第１散水孔組からのシャワー吐水と図７に示す第２散水孔組からのシャワー吐水を重ね合わせて示す図である。
【発明を実施するための形態】
【０００９】
以下の実施形態では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。
【００１０】
図１は、本発明の実施形態に係る吐水ヘッド１６が用いられる水栓装置１０の斜視図である。
【００１１】
水栓装置１０は、吐水部２６から整流水またはシャワー水を吐水可能な吐水ヘッド１６と、吐水ヘッド１６を支持する本体ベース２０と、ユーザにより操作される操作部材２２と、操作部材２２に対する操作を通じて吐水ヘッド１６に送り込まれる水の流量や温度を調整可能な弁ユニット２４とを備える。
【００１２】
図２は、水栓装置１０の設置状態を示す平面図である。本体ベース２０は、吐水ヘッド１６を支持する。本体ベース２０は、たとえば、流し台、洗面キャビネット等の基体２８に設置される。本実施形態の基体２８は、正面側（図２の下側）に居るユーザの作業に用いられるカウンター３０と、カウンター３０に一体化されたシンク３２とを有する。シンク３２は、吐水ヘッド１６の吐水部２６から吐き出される水を受けるための槽部３２ａを有する。図２に示された設置状態では、槽部３２ａの底面が、吐水ヘッド１６の吐水部２６から吐出された水が着水する着水面になる。着水面から吐水部２６までの高さは、例えば２０ｃｍ〜２５ｃｍ程度であってよい。
【００１３】
図３は、水栓装置１０の内部に形成される一部の水路に関する説明図である。水栓装置１０は、吐水部２６に水を供給するための給水路４０を備える。給水路４０は、複数の上流側水路４２Ａ、４２Ｂと複数の下流側水路４４Ａ、４４Ｂとを有する。上流側水路４２Ａ、４２Ｂには、弁ユニット２４（図１参照）により流量や温度が調整された原水が供給される。下流側水路４４Ａ、４４Ｂには上流側水路４２Ａ、４２Ｂから水が送られる。
【００１４】
複数の上流側水路４２Ａ、４２Ｂには、カートリッジ１２を経由せずに下流側水路４４Ａ、４４Ｂに原水を送るための原水水路４２Ａと、カートリッジ１２を経由して下流側水路４４Ａ、４４Ｂに改質水を送るための改質水水路４２Ｂとが含まれる。複数の下流側水路４４Ａ、４４Ｂには、吐水部２６から整流吐水で水を吐き出すための整流用水路４４Ａと、吐水部２６からシャワー吐水で水を吐き出すためのシャワー用水路４４Ｂとが含まれる。
【００１５】
水栓装置１０は、複数の上流側水路４２Ａ、４２Ｂのいずれかと、複数の下流側水路４４Ａ、４４Ｂのいずれかとに通水経路を切り替え可能な弁機構４６を備える。本実施形態の弁機構４６は切替弁である。
【００１６】
水栓装置１０は、ユーザにより操作されることで弁機構４６を作動させる複数の操作体４８、５０を備える。操作体４８、５０には、複数の上流側水路４２Ａ、４２Ｂのいずれかを通水経路に切り替えるように弁機構４６を作動させる押しボタン４８と、複数の下流側水路４４Ａ、４４Ｂのいずれかを通水経路に切り替えるように弁機構４６を作動させる回転ハンドル５０が含まれる。
【００１７】
図４は、吐水部２６の構造を説明するための断面図である。図４に示すように、吐水部２６は、散水板５１と、第１筒状部５２と、第１筒状部５２の外側に配置される第２筒状部５４とを備える。第１筒状部５２および第２筒状部５４は、同心である（すなわち中心軸Ｃが一致する）。第１筒状部５２の内側には、整流用水路４４Ａ（図３参照）に連通する第１水路５６が形成されている。また、第１筒状部５２と第２筒状部５４の間には、シャワー用水路４４Ｂ（図３参照）に連通する第２水路５８が形成されている。第１筒状部５２および第２筒状部５４の一端（図４における上端）は開口されており、第１筒状部５２および第２筒状部５４の他端（図４における上端）には散水板５１が設けられている。
【００１８】
散水板５１は、中心軸Ｃの略円盤形状を有する。散水板５１の中央領域５１ａには、整流吐水を行うための整流吐水口６０が設けられている。散水板５１の中央領域５１ａより外側の外周領域５１ｂには、シャワー吐水を行うための複数の散水孔６２が設けられている。
【００１９】
図５は、散水板５１における散水孔の配置を説明するための図である。上述したように、散水板５１の中央領域５１ａには整流吐水口６０が設けられており、散水板５１の外周領域５１ｂには複数の散水孔６２が設けられている。本実施形態においては、散水孔６２は、中央領域５１ａに形成された整流吐水口６０を取り囲むように配置された複数の第１散水孔６２ａと、第１散水孔６２ａと取り囲むように配置された複数の第２散水孔６２ｂと、第２散水孔６２ｂと取り囲むように配置された複数の第３散水孔６２ｃとを含む。複数の第１散水孔６２ａは、所定の第１ピッチＰ１で環状に配置され、最内周の第１散水孔列６４ａを形成している。複数の第２散水孔６２ｂは、所定の第２ピッチＰ２（Ｐ２＞Ｐ１）で環状に配置され、中央周の第２散水孔列６４ｂを形成している。複数の第３散水孔６２ｃは、所定の第３ピッチＰ３（Ｐ３＞Ｐ２）で環状に配置され、最外周の第３散水孔列６４ｃを形成している。第１散水孔列６４ａ、第２散水孔列６４ｂおよび第３散水孔列６４ｃは同心である（すなわち中心軸Ｃが一致する）。本実施形態において、第１散水孔６２ａ、第２散水孔６２ｂおよび第３散水孔６２ｃの数は同じである。第１散水孔６２ａ、第２散水孔６２ｂおよび第３散水孔６２ｃは、中心軸Ｃを中心として放射状に配置されている。すなわち、中心軸Ｃを通る径方向において、３つの散水孔（第１散水孔６２ａ、第２散水孔６２ｂおよび第３散水孔６２ｃ）が直線状に並んでいる。
【００２０】
図６は、図５に示す散水板５１のＡ−Ａ部分断面図である。図６は、散水板５１の径方向に沿った３つの散水孔「第１散水孔６２ａ１、第２散水孔６２ｂ１および第３散水孔６２ｃ１」の断面を示す。図６に示す第１散水孔６２ａ１、第２散水孔６２ｂ１および第３散水孔６２ｃ１の組を「第１散水孔組６６」と称する。
【００２１】
図６には、第１散水孔６２ａ１から吐水されるシャワー吐水７０ａ１、第２散水孔６２ｂ１から着水面８０に向かって吐水されるシャワー吐水７０ｂ１、および第３散水孔６２ｃ１から吐出されるシャワー吐水７０ｃ１が図示されている。
【００２２】
図７は、図５に示す散水板５１のＢ−Ｂ部分断面図である。図７は、散水板５１の径方向に沿った３つの散水孔「第１散水孔６２ａ２、第２散水孔６２ｂ２および第３散水孔６２ｃ２」の断面を示す。図７に示す第１散水孔６２ａ２、第２散水孔６２ｂ２および第３散水孔６２ｃ２の組を「第２散水孔組６７」と称する。図５に示すように、この第２散水孔組６７は、第１散水孔組６６の周方向の隣に位置する。
【００２３】
図７には、第１散水孔６２ａ２から吐水されるシャワー吐水７０ａ２、第２散水孔６２ｂ２から着水面８０に向かって吐水されるシャワー吐水７０ｂ２、および第３散水孔６２ｃ２から吐出されるシャワー吐水７０ｃ２が図示されている。
【００２４】
図６、図７から分かるように、第１散水孔組６６と第２散水孔組６７は、シャワー吐水のされ方、すなわち、散水板５１の径方向においてシャワー吐水の吐水方向が異なる。本実施形態に係る吐水ヘッド１６においては、第１散水孔組６６と第２散水孔組６７は、中心軸Ｃの周方向に沿って交互に配置されている。
【００２５】
第１散水孔組６６においては、図６に示すように、最内の第１散水孔６２ａ１は、散水板５１の中心軸Ｃと平行な方向にシャワー吐水７０ａ１が吐水されるように形成される。また、中央の第２散水孔６２ｂ１は、散水板５１から離れるに従って中心軸Ｃから離れる方向にシャワー吐水７０ｂ１が吐水されるよう形成される。また、最外の第３散水孔６２ｃ１も、散水板５１から離れるに従って中心軸Ｃから離れる方向にシャワー吐水７０ｃ１が吐水されるよう形成される。すなわち、第２散水孔６２ｂ１、第３散水孔６２ｃ１は、中心軸Ｃに対して外側に向かって吐水を行う。本実施形態では、第３散水孔６２ｃ１は、第２散水孔６２ｂ１よりも外側に向かって吐水を行う。このように、散水板５１の第１散水孔組６６では、散水板５１の径方向において異なる方向に吐水する３つの散水孔６２が径方向に沿って配置されている。
【００２６】
一方、第２散水孔組６７においては、最内の第１散水孔６２ａ２は、散水板５１から離れるに従って中心軸Ｃに近づく方向にシャワー吐水７０ａ２が吐水されるように形成される。すなわち、第１散水孔６２ａ２は、中心軸Ｃに対して内側に向かってシャワー吐水７０ａ２を吐水する。また、中央の第２散水孔６２ｂ２は、散水板５１から離れるに従って中心軸Ｃから離れる方向にシャワー吐水７０ｂ２が吐水されるよう形成される。また、最外の第３散水孔６２ｃ２も、散水板５１から離れるに従って中心軸Ｃから離れる方向にシャワー吐水７０ｃ１が吐水されるよう形成される。すなわち、第２散水孔６２ｂ２、第３散水孔６２ｃ２は、中心軸Ｃに対して外側に向かって吐水を行う。本実施形態では、第３散水孔６２ｃ２は、第２散水孔６２ｂ２よりも外側に向かって吐水を行う。このように、散水板５１の第２散水孔組６７においても、散水板５１の径方向において異なる方向に吐水する３つの散水孔６２が径方向に沿って配置されている。
【００２７】
周方向に隣接する第１散水孔組６６の第１散水孔６２ａ１と第２散水孔組６７の第１散水孔６２ａ２とを比較すると、第１散水孔組６６の第１散水孔６２ａ１は、中心軸Ｃに対して平行にシャワー吐水７０ａ１を吐水し、第２散水孔組６７の第１散水孔６２ａは、中心軸Ｃに対して内側に向かってシャワー吐水７０ａ２を吐水する。このように、散水板５１の最内周の第１散水孔列６４ａでは、散水板５１の径方向において異なる方向に吐水する散水孔６２が周方向に沿って交互に配置されている。一部の第１散水孔６２ａを中心軸Ｃに対して内側に向かってシャワー吐水がなされるように構成することで、シャワー吐水が中心軸に対して平行な方向又は外側方向にのみ向かう場合と比べて、シャワー吐水の範囲を広げることができる。
【００２８】
同じように、周方向に隣接する第１散水孔組６６の第２散水孔６２ｂ１と第２散水孔組６７の第２散水孔６２ｂ２とを比較すると、第２散水孔組６７の第２散水孔６２ｂ２から吐出されるシャワー吐水７０ｂ２の中心軸Ｃに対する傾斜角度は、第１散水孔組６６の第２散水孔６２ｂ１から吐出されるシャワー吐水７０ｂ１のそれよりも大きい。従って、第２散水孔組６７の第２散水孔６２ｂ２は、周方向に隣接する第１散水孔組６６の第２散水孔６２ｂ１よりも外側に向かってシャワー吐水を行う。このように、散水板５１の中央周の第２散水孔列６４ｂでも、散水板５１の径方向において異なる方向に吐水する散水孔６２が周方向に沿って交互に配置されている。
【００２９】
同じように、周方向に隣接する第１散水孔組６６の第３散水孔６２ｃ１と第２散水孔組６７の第３散水孔６２ｃ２とを比較すると、第２散水孔組６７の第３散水孔６２ｃ２から吐出されるシャワー吐水７０ｃ２の中心軸Ｃに対する傾斜角度は、第１散水孔組６６の第３散水孔６２ｃ１から吐出されるシャワー吐水７０ｃ１のそれよりも大きい。従って、第２散水孔組６７の第３散水孔６２ｃ２は、周方向に隣接する第１散水孔組６６の第３散水孔６２ｃ１よりも外側に向かってシャワー吐水を行う。このように、散水板５１の最外周の第３散水孔列６４ｃでも、散水板５１の径方向において異なる方向に吐水する散水孔６２が周方向に沿って交互に配置されている。
【００３０】
図８は、図６に示す第１散水孔組からのシャワー吐水と図７に示す第２散水孔組からのシャワー吐水を重ね合わせて示す図である。本実施形態に係る吐水ヘッド１６では、上記のように、最内、中央、最外の３つの環状の散水孔列のそれぞれに関して、散水板５１の径方向において吐水方向の異なる散水孔を周方向に沿って交互に配置した。また、径方向に並ぶ最内、中央、最外の３つの散水孔に関しても、散水板５１の径方向において吐水方向を異ならせた。これにより、図８に示すように、広範囲に均一に分布したシャワー吐水を実現できる。
【００３１】
本実施形態に係る吐水ヘッド１６においては、散水板５１に複数の散水孔６２が周方向および径方向に間隔を空けて設けられている。そして、周方向および径方向に隣接する散水孔６２は、吐水する水が互いに離れるように、径方向に関する吐水方向が異なっている。このような構成をとることにより、水圧が弱い場合でも、隣接する散水孔６２から吐水された水が合流され難い広範囲のシャワー吐水を実現できる。
【００３２】
上述したように、本実施形態に係る吐水ヘッド１６では、最内周の第１散水孔列６４ａの一部の第１散水孔６２ａ２は、中心軸Ｃに対して内側に向かってシャワー吐水７０ａ２を吐水する。この内側に向かって吐水されたシャワー吐水７０ａ２は、着水面８０に着水した際に、その多くが中心軸Ｃ方向に向かって跳ね返るので、吐水ヘッド１６を使用するユーザの側には跳ね返りにくくなる。従って、第１散水孔列の全ての第１散水孔が中心軸に対して平行または外側に吐水するように構成した場合と比較して、水はねを抑制することができる。このように、本実施形態に係る吐水ヘッド１６によれば、広範囲に均一なシャワー吐水を実現しつつ、水はねを抑制することができる。
【００３３】
上述の実施形態では、図５に示すように、最内、中央、最外の３つの環状の散水孔列を有する散水板５１を例示したが、散水板の構成はこれに限定されない。例えば、４つ以上の散水孔列が設けられてもよいし、或いは散水後列は２つであってもよい。また、散水後列の配列形状は環状に限定されず、例えば楕円形状等であってもよい。
【００３４】
また、上述の実施形態において、各散水孔のシャワー吐水の方向は一例であり、これに限定されない。例えば、上述の実施形態では、最内の第１散水孔６２ａ１は、中心軸Ｃと平行な方向に吐水するように形成されているが、散水板５１から離れるに従って中心軸Ｃから離れる方向に吐水するよう形成されてもよい。
【００３５】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００３６】
以上の実施形態により具体化される発明を一般化すると、以下の技術的思想が導かれる。
【００３７】
本発明のある態様は、吐水部からシャワー吐水可能な吐水ヘッドである。この吐水ヘッドにおいて、吐水部には、シャワー吐水を行う複数の散水孔が形成された散水板が設けられる。複数の散水孔は、散水板の中央領域を取り囲むように配列された複数の第１散水孔と、複数の第１散水孔を取り囲むように配列された複数の第２散水孔とを含む。第１散水孔は、散水板から離れるに従って散水板の中心軸に近づく第１方向に吐水する第１方向散水孔を含む。
【００３８】
この態様によると、第１方向散水孔からのシャワー吐水が中心軸に対して内側方向に向かうので、シャワー吐水が中心軸に対して平行な方向又は外側方向にのみ向かう場合と比べて広範囲にシャワー吐水できる吐水ヘッドを提供できる。
【００３９】
第１散水孔は、散水板の径方向において第１方向と異なる第２方向に吐水する第２方向散水孔をさらに含み、第１方向散水孔と第２方向散水孔は、中心軸の周方向に沿って交互に配置されてもよい。また、第２散水孔は、散水板の径方向において第１方向および第２方向と異なる第３方向に吐水する第３方向散水孔を含んでもよい。また、第２散水孔は、散水板の径方向において第３方向と異なる第４方向に吐水する第４方向散水孔を含んでもよい。例えば、第２方向は、中心軸と平行な方向又は散水板から離れるに従って中心軸から離れる方向であり、第３方向は、散水板から離れるに従って中心軸から離れる方向であってもよい。この場合、広範囲に均一に分布したシャワー吐水を実現できる。
【００４０】
中央領域に設けられた整流吐水口をさらに備えてもよい。この場合、整流吐水とシャワー吐水を行うことのできる吐水ヘッドを実現できる。
【００４１】
本発明の別の態様も、吐水部からシャワー吐水可能な吐水ヘッドである。この吐水ヘッドにおいて、吐水部には、散水板が設けられ、散水板には、複数の散水孔が周方向および径方向に間隔を空けて設けられる。周方向および径方向に隣接する散水孔は、吐水する水が互いに離れるように、径方向に関する吐水方向が異なる。
【００４２】
この態様によると、水圧が弱い場合でも隣接する散水孔から吐水された水が合流され難い広範囲のシャワー吐水を実現できる。
【符号の説明】
【００４３】
１０  水栓装置、  １２  カートリッジ、  １６  吐水ヘッド、  ２６  吐水部、  ５１  散水板、  ６０  整流吐水口、  ６２  散水孔、  ６６  第１散水孔組、  ６７  第２散水孔組。
【図１】
2019208641.tif 000003
【図２】
2019208641.tif 000004
【図３】
2019208641.tif 000005
【図４】
2019208641.tif 000006
【図５】
2019208641.tif 000007
【図６】
2019208641.tif 000008
【図７】
2019208641.tif 000009
【図８】
2019208641.tif 000010